(57)【要約】【課題】穀粒の損傷を軽減しながらの揚穀を可能にするとともに、穀粒タンク内での容積の利用効率を向上させる。【解決手段】  揚穀装置３に、穀粒を載置状態で持ち上げ搬送するエレベーティングコンベアで構成された縦搬送部３Ａと、縦搬送部３Ａの上端部から穀粒タンク４へ向けて延出された横送り用の横搬送部３Ｂと、が備えられ、横搬送部３Ｂに、穀粒タンク４側ほど低くなるように傾斜した姿勢の流下案内路３７が備えられ、穀粒タンク４の上面部に、横搬送部３Ｂから送り込まれる穀粒を受け入れ可能な投入用開口が形成され、流下案内路３７を介して縦搬送部３Ａから投入用開口への穀粒供給が行われるように構成されている。【選択図】図３
2020188693.tif 000002
【特許請求の範囲】
【請求項１】
収穫された被処理物を脱穀処理する脱穀装置と、
前記脱穀装置と横並び状態で設けられ、前記脱穀装置によって脱穀された穀粒を貯留する穀粒タンクと、
前記脱穀装置の下部から前記穀粒タンクの上部へ穀粒を揚送搬送する揚穀装置と、が備えられ、
前記揚穀装置に、穀粒を載置状態で持ち上げ搬送するエレベーティングコンベアで構成された縦搬送部と、前記縦搬送部の上端部から前記穀粒タンクへ向けて延出された横送り用の横搬送部と、が備えられ、
前記横搬送部に、前記穀粒タンク側ほど低くなるように傾斜した姿勢の流下案内路が備えられ、
前記穀粒タンクの上面部に、前記横搬送部から送り込まれる穀粒を受け入れ可能な投入用開口が形成され、
前記流下案内路を介して前記縦搬送部から前記投入用開口への穀粒供給が行われるように構成されているコンバイン。
【請求項２】
前記穀粒タンク内の上部に、穀粒を拡散する穀粒拡散装置が備えられ、
前記穀粒拡散装置が、前記縦搬送部に対する遠近方向おいて、前記穀粒タンクの側壁のうちの、前記縦搬送部に対面する側壁から離れた中央部に設けられ、
前記流下案内路が前記穀粒拡散装置に向けて延出されている請求項１記載のコンバイン。
【請求項３】
前記流下案内路に、前記縦搬送部に接続された流路上部と、前記穀粒タンクに接続された流路下部と、が備えられ、
前記流下案内路は、前記穀粒タンクの上面部よりも下方の前記穀粒タンク内に突入する姿勢で配設され、
前記流下案内路の終端が前記穀粒拡散装置に接続されている請求項２記載のコンバイン。
【請求項４】
前記穀粒拡散装置は、前記流下案内路から供給された穀粒を受け入れる筒状のガイドケースと、
前記ガイドケース内に設けられた回転羽根と、
前記ガイドケースの外周部に形成された吐出口と、が備えられ、
前記回転羽根の回転に伴って前記ガイドケース内の穀粒を吐出口から跳ね出すように構成されている請求項３記載のコンバイン。
【請求項５】
前記ガイドケースの前記外周部に対する前記流路下部終端の接続領域は、前記外周部の周方向で、前記回転羽根の回転軸心を通る鉛直線位置よりも、前記吐出口が形成された箇所とは反対側に設けられている請求項４記載のコンバイン。
【請求項６】
前記ガイドケースに、前記回転羽根が存在する範囲の外周を囲む第一ガイドケース部と、その第一ガイドケース部よりも前記穀粒タンクの側壁のうちで前記縦搬送部に対向する側壁に近い側に位置する第二ガイドケース部と、が備えられ、
前記第二ガイドケース部に、前記第一ガイドケース部から前記第二ガイドケース部へ溢れ出た穀粒を前記ガイドケース外へ排出するための抜き孔が形成されている請求項４又は５記載のコンバイン。
【請求項７】
前記穀粒タンクが、前記脱穀装置との横並び状態で穀粒を受け入れ可能な使用位置と、前記脱穀装置から離れる側へ揺動移動する開放位置と、に上下軸心回りで位置変更可能に構成され、
前記流下案内路に、前記縦搬送部に接続された流路上部と、前記穀粒タンクに接続された流路下部と、が備えられ、
前記流路上部と前記流路下部が、前記使用位置で互いに連結され、前記開放位置側への前記穀粒タンクの揺動移動に伴って互いに分離可能に構成されている請求項３〜６のいずれか一項記載のコンバイン。
【請求項８】
前記穀粒拡散装置が、前記縦搬送部に支持され、
前記穀粒タンクに、その穀粒タンクの前記上下軸心回りでの位置変更に伴って前記穀粒拡散装置を挿抜可能な開口部が形成されている請求項７記載のコンバイン。
【請求項９】
前記縦搬送部の下端部に備えた駆動スプロケットと、前記縦搬送部の上端部に備えた従動スプロケットと、にわたって巻回した無端回動帯に穀粒を載置可能な載置体が装着され、
前記従動スプロケットの動力伝達軸に、出力用プーリが装着され、
前記穀粒拡散装置の回転羽根を駆動する駆動軸のうち、前記縦搬送部に近い側の端部が、前記穀粒タンクの外方へ延出され、この穀粒タンク外への延出部分に入力用プーリが装着され、
前記入力用プーリと、前記出力用プーリと、に動力伝達用の伝動ベルトが巻回されている請求項４〜７のいずれか一項記載のコンバイン。
【発明の詳細な説明】
【技術分野】
【０００１】
本発明は、収穫された被処理物を脱穀処理する脱穀装置と、脱穀された穀粒を貯留する穀粒タンクと、脱穀装置の下部から穀粒タンクの上部へ被処理物を揚送搬送する揚穀装置と、が備えられたコンバインに関する。
【背景技術】
【０００２】
この種のコンバインにおいては、揚穀装置としてバケットコンベア式のものを用いることがある。このようなバケットコンベア式の揚穀装置を用いると、スクリュー搬送方式の揚穀装置を用いる場合に比べて、大豆などの比較的柔らかい穀粒を損傷させる虞が少ない点で有用である。
従来では、下記の特許文献１に記載のように、バケットコンベア式の揚穀装置を用いて揚送した穀粒を、揚穀装置の上端部から、穀粒タンクの上部における側壁部分に向け、流下させて供給するようにしている（特許文献１参照）。
特許文献２に記載のものでは、バケットコンベア式の揚穀装置を用いて揚送した穀粒を、揚穀装置の上端部から、穀粒タンクの上部に向けて配設した横向きのスクリューコンベアと放擲板で構成された拡散放出部を備えて供給するようにしている（特許文献２参照）。
【先行技術文献】
【特許文献】
【０００３】
【特許文献１】特開２００４−１５９６１５号公報（段落００１３、図２参照）
【特許文献２】特開２０１２−１１５２１３号公報（段落００２９，００３０、図４参照）
【発明の概要】
【発明が解決しようとする課題】
【０００４】
特許文献１のコンバインにおいては、揚穀装置の上端部と穀粒タンクの上部側壁部分とが、タンク側ほど低くなる傾斜面を有した穀粒送出部を介して接続されている。この構造のものでは、穀粒が強制送りされずに自重で流下し、比較的柔らかいものであっても損傷する虞が少ない状態で穀粒タンクへ供給される。しかしながら、穀粒タンク内での穀粒堆積状態は、穀粒送出部が接続される箇所付近を最上位とする堆積状態となる。このため、最大堆積状態となっても、穀粒タンク内の上部に多くの空隙が残り、穀粒タンク内容積の利用効率が良くない。
特許文献２のコンバインにおいては、横向きのスクリューコンベアと放擲板で構成された拡散放出部を備えている。このため、拡散放出部で穀粒タンク内の上部に堆積しようとする穀粒をタンク内の広範囲に拡散して、穀粒タンク内における残留空隙をできるだけ少なくして、穀粒タンク内容積の利用効率を向上し得る。しかしながらこの構造では、バケットコンベア式の揚穀装置を採用したことによる穀粒の損傷を軽減しながらの揚穀の目的を果たすが、僅かな範囲とは云え、横向きのスクリューコンベアを用いて、機械的に強制搬送する部分が存在しているので、穀粒の揚送量が極端に多い場合などには、横向きのスクリューコンベア部分で穀粒を損傷させてしまう虞がある点で改善の余地がある。
【０００５】
本発明は、穀粒の損傷を軽減しながらの揚穀を可能にするとともに、穀粒タンク内での容積の利用効率を向上させようとするものである。
【課題を解決するための手段】
【０００６】
本発明に係るコンバインは、収穫された被処理物を脱穀処理する脱穀装置と、前記脱穀装置と横並び状態で設けられ、前記脱穀装置によって脱穀された穀粒を貯留する穀粒タンクと、前記脱穀装置の下部から前記穀粒タンクの上部へ被処理物を揚送搬送する揚穀装置と、が備えられ、前記揚穀装置に、バケットコンベアで構成された持ち上げ用の縦搬送部と、前記縦搬送部の上端部から前記穀粒タンクへ向けて延出された横送り用の横搬送部と、が備えられ、前記横搬送部に、前記穀粒タンク側ほど低くなるように傾斜した姿勢の流下案内路が備えられ、前記穀粒タンクの上面部に、前記横搬送部から送り込まれる穀粒を受け入れ可能な投入用開口が形成され、前記流下案内路を介して前記縦搬送部から前記投入用開口への穀粒供給が行われるように構成されていることを特徴とする。
【０００７】
本発明によれば、バケットコンベアで構成された持ち上げ用の縦搬送部と、穀粒タンク側ほど低くなるように傾斜した姿勢の流下案内路が備えられた横搬送部と、を用いて穀粒を損傷し難い状態で搬送し易い。それでいて、横搬送部から送り込まれる穀粒を受け入れ可能な投入用開口が、穀粒タンクの上面部に形成され、流下案内路を介して縦搬送部から投入用開口への穀粒供給が行われるので、穀粒タンク内での穀粒堆積状態は、流下案内路が延出される穀粒タンクの上面部の投入用開口付近を最上位とする堆積状態となる。したがって、穀粒タンク内に堆積可能な穀物量を増大し、穀粒タンク内での容積の利用効率を向上させることができる。
【０００８】
本発明において、前記穀粒タンク内の上部に、穀粒を拡散する穀粒拡散装置が備えられ、前記穀粒拡散装置が、前記縦搬送部に対する遠近方向おいて、前記穀粒タンクの側壁のうちの、前記縦搬送部に対面する側壁から離れた中央部に設けられ、前記流下案内路が前記穀粒拡散装置に向けて延出されていると好適である。
【０００９】
本構成によれば、穀粒拡散装置が、縦搬送部に対面する側壁から離れた中央部に設けられ、流下案内路が穀粒拡散装置に向けて延出されているので、穀粒タンク内で山状に堆積する穀粒の頂部が、縦搬送部に対する遠近方向おいて穀粒タンクの側壁から離れた中央部に位置する。穀粒拡散装置は、その中央部に存在して、頂部の堆積物を拡散するように回転作動するので、穀物は、穀粒タンク内で広範囲に均され、より一層、穀粒タンク内での容積の利用効率を向上させることができる。
【００１０】
本発明において、前記流下案内路に、前記縦搬送部に接続された流路上部と、前記穀粒タンクに接続された流路下部と、が備えられ、前記流路下部は、前記穀粒タンクの上面部よりも下方の前記穀粒タンク内に突入する姿勢で配設され、前記流路下部の終端が前記穀粒拡散装置に接続されていると好適である。
【００１１】
本構成によれば、流路下部に案内されて穀粒タンク内へ供給される穀粒が、確実に穀粒拡散装置に送り込まれ、穀粒タンク内の広範囲へ拡散されながら供給される。
【００１２】
本発明において、前記穀粒拡散装置は、前記流下案内路から供給された穀粒を受け入れる筒状のガイドケースと、前記ガイドケース内に設けられた回転羽根と、前記ガイドケースの外周部に形成された吐出口と、が備えられ、前記回転羽根の回転に伴って前記ガイドケース内の穀粒を吐出口から跳ね出すように構成されていると好適である。
【００１３】
本構成によれば、筒状のガイドケース内に設けられた回転羽根の回転に伴って、ガイドケース内の穀粒を吐出口から跳ね出すように構成されているので、単に回転羽根のみを開放空間に備えて拡散させる構造に比べて、回転羽根の掻き出し作用を穀粒に効率良く伝えて、広範囲への拡散を行い易い。
【００１４】
本発明において、前記ガイドケースの前記外周部に対する前記流路下部終端の接続領域は、前記外周部の周方向で、前記回転羽根の回転軸心を通る鉛直線位置よりも、前記吐出口が形成された箇所とは反対側に設けられていると好適である。
【００１５】
本構成によれば、流路下部終端が、ガイドケースの外周部で、回転羽根の回転軸心を通る鉛直線位置よりも、吐出口が形成された箇所とは反対側に設けられている。したがって、ガイドケースを穀粒タンクの上面部に近づけて配置しても、流路下部が穀粒タンクの内部で穀粒を案内しながらガイドケース内へ送り込むことができる。つまり、流路下部とガイドケースが、上下方向ではなく、水平方向に並ぶ状態に位置して穀粒を案内するので、ガイドケースを穀粒タンク内の極力高い箇所に位置させて、より広範囲に穀粒を拡散させやすくしてある。
【００１６】
本発明において、前記ガイドケースに、前記回転羽根の外周を囲む位置のガイドケース主部と、前記穀粒タンクの側壁のうちで前記縦搬送部に対向する位置の側壁に近い位置のガイドケース基部と、が備えられ、前記ガイドケース基部に、前記ガイドケース主部から溢れだした穀粒を前記ガイドケース外へ排出するための抜き孔が形成されていると好適である。
【００１７】
回転羽根の外周を囲む位置のガイドケース主部よりも縦搬送部に対向する位置の側壁に近い位置にガイドケース基部を設けることにより、回転羽根を穀粒タンクの中央部に配置し易くして、回転羽根により拡散作用が良好に行われ易い。
そして、ガイドケース基部には、ガイドケース主部から溢れだした穀粒をガイドケース外へ排出するための抜き孔が形成されているので、ガイドケース主部内における回転羽根と穀粒との接触圧が必要以上に高められる可能性を低くし得る。
【００１８】
本発明において、前記穀粒タンクが、前記脱穀装置との横並び状態で穀粒を受け入れ可能な使用位置と、前記脱穀装置から離れる側へ揺動移動する開放位置と、に上下軸心回りで位置変更可能に構成され、前記流路上部と前記流路下部が、前記使用位置で互いに連結され、前記開放位置側への前記穀粒タンクの揺動移動に伴って互いに分離可能に構成されていると好適である。
【００１９】
本構成によれば、流下案内路が、縦搬送部に接続された流路上部と、穀粒タンクに接続された流路下部と、を備えていて、穀粒タンクが、脱穀装置から離れる側へ揺動移動する開放位置と、に上下軸心回りで位置変更可能に構成されている。したがって、穀粒タンクの位置変更の度に流下案内路を脱着するような手間を要さず、穀粒タンクの位置変更を簡便に行い易い。
【００２０】
本発明において、前記穀粒タンクと前記流路下部とが一体に揺動可能に接続され、前記穀粒拡散装置が、前記縦搬送部に支持され、前記穀粒タンクに、その穀粒タンクの前記上下軸心回りでの位置変更に伴って前記穀粒拡散装置を挿抜可能な開口部が形成されていると好適である。
【００２１】
本構成によれば、穀粒タンクを位置変更させる際に、穀粒拡散装置を脱着する必要がなく、穀粒タンクの位置変更が容易である。また、穀粒拡散装置を穀粒タンク側に支持させた場合のように、動力源を穀粒タンク側へ設ける必要もない。
【００２２】
本発明において、前記縦搬送部の下端部に備えた駆動スプロケットと、前記縦搬送部の上端部に備えた従動スプロケットと、にわたって巻回した無端回動帯にバケットが装着され、前記穀粒拡散装置の回転羽根を駆動する駆動軸のうち、前記縦搬送部に近い側の端部が、前記穀粒タンクの外方へ延出され、この穀粒タンク外への延出部分に入力用プーリが装着され、前記入力用プーリと、前記従動スプロケットの動力伝達軸に装着された出力用プーリと、に動力伝達用の伝動ベルトが巻回されていると好適である。
【００２３】
穀粒拡散装置の回転羽根を駆動する駆動軸に備えた入力用プーリを、縦搬送部の上端部に備えた従動スプロケットの動力伝達軸に装着された出力用プーリから、伝動ベルトを介して駆動することができるので、縦搬送部の動力を有効利用して、簡単な構造によって穀粒拡散装置の回転羽根駆動手段を得ることができる。
【図面の簡単な説明】
【００２４】
【図１】コンバインの右側面図である。
【図２】コンバインの平面図である。
【図３】背面視における揚穀装置、及び穀粒タンク部分の断面図である。
【図４】右側面視における揚穀装置、及び穀粒拡散装置部分の断面図である。
【図５】図４におけるV−V線断面図である。
【図６】図４におけるVI−VI線断面図である。
【図７】揚穀装置から穀粒拡散装置へ至る流下案内路の断面を分解して示す説明図である。
【図８】揚穀装置及び穀粒タンクを示す分解斜視図である。
【図９】穀粒タンクの上面部、及び流下案内路の流路下部を示す分解斜視図である。
【発明を実施するための形態】
【００２５】
以下、本発明の実施の形態の一例を図面の記載に基づいて説明する。
尚、本実施形態での説明における前後方向及び左右方向は、特段の説明がない限り、次のように記載している。つまり、本発明を適用したコンバインにおいて、走行機体の作業走行時における前進側の進行方向（図１，図２における矢印Ｆ参照）が「前」、後進側への進行方向（図１，２における矢印Ｂ参照）が「後」、その前後方向での前向き姿勢を基準としての右側に相当する方向（図２における矢印Ｒ参照）が「右」、同様に左側に相当する方向（図２における矢印Ｌ参照）が「左」である。
【００２６】
〔全体構成〕
図１に示すように、本実施形態で例示するコンバインは、機体フレーム１０に支持された左右一対のクローラ式走行装置Ｃにより走行する。図示の例では、コンバインは普通型として構成されており、圃場に植立するイネ、大豆、そば等の作物を収穫可能である。
【００２７】
コンバインには、植立穀稈を刈り取る刈取部１と、刈り取られた植立穀稈を脱穀処理する脱穀装置２と、脱穀装置２と横並び状態で設けられ、脱穀装置２によって脱穀された穀粒を貯留する穀粒タンク４と、穀粒タンク４に貯留された穀粒を排出するアンローダ６と、これらの各装置を含むコンバインの全体を操作するための運転部Ｄと、が備えられている。なお、以下の説明では、刈取部１によって刈り取られた作物がアンローダ６によって排出されるまでの穀粒の流れに基づいて、「上流側」及び「下流側」を定義するものとする。
【００２８】
〔刈取部〕
図１及び図２に示すように、刈取部１は、機体フレーム１０の前側に設けられている。刈取部１は、左右方向に沿う軸心周りで上下方向に昇降可能に構成されている。刈取部１は、コンバインの旋回時などの非収穫作業時には上昇状態となり、収穫作業時には圃場面に近接した下降状態となる。
【００２９】
刈取部１には、植立穀稈を梳き分けるデバイダ１１と、回転駆動されることにより植立穀稈を後方へ掻き込む掻込リール１２と、掻込リール１２によって掻き込まれた植立穀稈を刈り取る切断装置１３と、切断装置１３によって刈り取られた刈取穀稈を後方の脱穀装置２へ搬送する横送り装置１４及び搬送装置１５と、が備えられている。
【００３０】
〔脱穀装置〕
図１に示すように、脱穀装置２は、刈取部１の後方であって機体フレーム１０の左部に設けられている。脱穀装置２は、刈取部１によって刈り取られた刈取穀稈を脱穀処理して、一番物としての穀粒を得る。脱穀して得られた穀粒は、脱穀装置２が備える一番物回収部２２によって回収されると共に、揚穀装置３に搬送される（図３も参照）。
揚穀装置３は、脱穀装置２の下部から取り出した穀粒を穀粒タンク４の上部に搬送する。
【００３１】
〔穀粒タンク及びその周辺の構成〕
図１及び図２に示すように、穀粒タンク４は、当該穀粒タンク４よりも後方側に設けられた上下軸心ｙ１周りで、左右方向に回動可能に支持されている。これにより、穀粒タンク４は、脱穀装置２に隣接して当該脱穀装置２からの穀粒を受け取ることが可能な使用位置と、脱穀装置２から離間すると共に機体フレーム１０からはみ出して当該脱穀装置２の右側方を開放する開放位置と、に位置変換可能に構成されている。
穀粒タンク４が開放位置にある状態で、脱穀装置２やアンローダ６など、穀粒タンク４の周辺機器のメンテナンスを好適に行うことができる。なお、以下では、特に断らない限り、穀粒タンク４が使用位置にある状態を主として説明する。
【００３２】
図１乃至図３、及び図８に示すように、穀粒タンク４は、前後方向を長手方向とする箱状に形成されている。穀粒タンク４には、下窄まり形状に形成され、貯留された穀粒を穀粒タンク４から排出する底スクリュー４Ｓが配置された下側タンク部４Ｌと、下側タンク部４Ｌの上側に設けられた上側タンク部４Ｕと、が備えられている。
【００３３】
上側タンク部４Ｕは、天板４０と、天板４０の縁から下方に延出する複数の側壁４１と、を含んで構成されている。天板４０と複数の側壁４１とにより囲まれて、下側タンク部４Ｌの上側に穀粒タンク４の内部空間が形成されている。
天板４０の後部には、後方側に向かって下方に傾斜する天板傾斜部４０ａが形成されている。これにより、穀粒タンク４の後方側に配置されたアンローダ６が旋回する際に、当該アンローダ６と穀粒タンク４とが干渉することを抑制することができる。
【００３４】
複数の側壁４１には、穀粒タンク４の前方に配置される前側壁４１ｆと、左右方向において脱穀装置２とは反対側に配置される外側壁４１ｏと、外側壁４１ｏに対して左右方向において対向するように配置される内側壁４１ｉと、前側壁４１ｆに対して前後方向において対向するように配置される後側壁４１ｒと、が含まれる。
【００３５】
前側壁４１ｆは、前後方向において運転部Ｄと隣接するように配置されている。内側壁４１ｉは、左右方向において脱穀装置２と隣接するように配置されている。後側壁４１ｒは、前後方向においてアンローダ６と隣接するように配置されている。外側壁４１ｏは、コンバインの左右方向において最も外側に配置される外側部分の一部である。
【００３６】
図３、図４、図６乃至図９に示すように、天板４０には、揚穀装置３の後述する横搬送部３Ｂから送り込まれる穀粒を受け入れ可能な投入用開口４２が形成されている。
また、当該天板４０には、前記投入用開口４２の近く位置に天井点検口４３が開口されているとともに、その天井点検口４３を開閉する蓋４３Ａが備えられている。天井点検口４３は、穀粒タンク４の内部に配置された穀粒拡散装置５の近傍に配置されている。
【００３７】
〔揚穀装置〕
図１、図３、及び図８、に示すように、脱穀装置２と穀粒タンク４とにわたって、脱穀装置２から取り出した穀粒を穀粒タンク４へ供給搬送するための揚穀装置３が備えられている。
揚穀装置３は、穀粒を上方に搬送する縦搬送部３Ａと、上方に搬送された穀粒を横送りして穀粒タンク４の内部に搬送する横搬送部３Ｂと、を備え、これらの縦搬送部３Ａと横搬送部３Ｂが揚穀ケース３０内に設けられている。これにより、脱穀装置２の下部から取り出した穀粒を、穀粒タンク４の上方領域に向けて搬送することができる。
【００３８】
縦搬送部３Ａは、穀粒タンク４の内側壁４１ｉに対向する位置で、その内側壁４１ｉに沿って上下方向に延設されている。この縦搬送部３Ａは、駆動スプロケット３１と従動スプロケット３２とに亘って巻き掛けられた無端回動チェーン３３の外周側に複数のバケット３４が備えられたバケット式のエレベーティングコンベアによって構成されている。
このエレベーティングコンベアは、脱穀装置２と穀粒タンク４の間に位置して、穀粒タンク４の内側壁４１ｉに対向する位置に立設された外装ケース３０Ａ（揚穀ケース３０の一部に相当する）に内装され、脱穀装置２もしくは別途備えた支持手段によって支持されている。
【００３９】
縦搬送部３Ａは、穀粒タンク４の天板４０よりも高い位置にまで穀粒を揚送し得るように、当該縦搬送部３Ａの下流側の端部（上端部）の高さ位置が、穀粒タンク４の天板４０よりも高い位置に設定されている。縦搬送部３Ａの下流側の端部（上端部）には、縦搬送部３Ａの上端部から穀粒タンク４の天板４０が存在する側へ向けて延出された横送り用の横搬送部３Ｂの上流側の端部が接続されている。
【００４０】
横搬送部３Ｂは、縦搬送部３Ａ側が高く、穀粒タンク４側ほど低くなるように傾斜した姿勢の流下案内路３７を備えている。この流下案内路３７は、外装ケース３０Ａの上端部に接続された筒状ケース３０Ｂ（揚穀ケース３０の一部に相当する）内に存在し、縦搬送部３Ａの終端から送り出された穀粒が自重で滑落するように、水平面に対して略４５度の傾斜を有した滑落ガイド面３７ａを備えている。
横搬送部３Ｂを構成するところの流下案内路３７は、縦搬送部３Ａに接続された流路上部３８と、前記穀粒タンク４に接続された流路下部３９とを備えている。この流路上部３８と流路下部３９は、図６及び図７に示すように、滑落ガイド面３７ａの長さ方向における中間位置で分断されている。したがって、穀粒タンク４に接続された流路下部３９は、穀粒タンク４の開放位置への回動に伴って、上下軸心ｙ１周りで、穀粒タンク４とともに左右方向に回動可能である。
【００４１】
流路上部３８は、縦搬送部３Ａに接続されているので、流路下部３９の回動に関係なく、位置固定状態にある。
そして、流路下部３９は、穀粒タンク４の使用位置への回動に伴って、流路上部３８と接続され、連続した滑落ガイド面３７ａを備える流下案内路３７を構成する。
流路上部３８と流路下部３９との合わせ面にはパッキン材３７ｂが装着され、穀粒タンク４の使用位置で流下案内路３７を流れる穀粒の飛び出し等が確実に抑制されるように構成されている。
【００４２】
流下案内路３７のうち、流路下部３９は、穀粒タンク４の上面部、つまり天板４０に形成された投入用開口４２に対して、穀粒供給が可能であるように設けられている。つまり、流路下部３９は、上下方向の中間位置に鍔状取付板３９ａを備え、この鍔状取付板３９ａを介して投入用開口４２周辺の天板４０に固定される。この天板４０への固定状態において流路下部３９は、鍔状取付板３９ａよりも上方側に突出する起立筒部分３９ｂと、鍔状取付板３９ａよりも下方側の穀粒タンク４内空間に突入する垂下筒部分３９ｃと、を備えている。
【００４３】
そして、鍔状取付板３９ａよりも上方側に起立する起立筒部分３９ｂの上端部が流路上部３８の下端部に接続され、鍔状取付板３９ａよりも下方側で穀粒タンク４内に突入する垂下筒部分３９ｃの下端部が、後述する穀粒拡散装置５のガイドケース５０の導入口５２に対向する状態で配設される。
このとき、垂下筒部分３９ｃの下端部は、穀粒拡散装置５のガイドケース５０の導入口５２に対向し、流下案内路３７を滑落する穀粒をガイドケース５０内に案内する状態ではあるが、ガイドケース５０の導入口５２内に差し込まれてはいない（図４参照）。したがって、穀粒タンク４が上下軸心ｙ１周りで回動する際に、ガイドケース５０の導入口５２に対して垂下筒部分３９ｃの下端部が左右方向で相対移動することを妨げられない。
【００４４】
〔穀粒拡散装置〕
図３乃至図６に示すように、穀粒を拡散する穀粒拡散装置５が、穀粒タンク４内の前部位置で、穀粒タンク４内の上部に備えられている。
また、穀粒拡散装置５は、穀粒タンク４の内側壁４１ｉを挟んで縦搬送部３Ａとは反対側に位置し、縦搬送部３Ａに対する遠近方向で内側壁４１ｉから中央側へ離れた箇所に配設されている。
【００４５】
図４乃至図７に示すように、穀粒拡散装置５は、流下案内路３７から供給された穀粒を受け入れる筒状のガイドケース５０と、ガイドケース５０内に設けられた回転羽根５１と、を備えている。
ガイドケース５０は、機体左右方向に沿う回転軸心Ｐ１を備えた回転羽根５１の回転軌跡外周を囲むように筒状に形成された第一ガイドケース部５０Ａと、その第一ガイドケース部５０Ａよりも内側壁４１ｉに近い側に位置する第二ガイドケース部５０Ｂと、を備えたものである。
そして、ガイドケース５０のうち、回転羽根５１を囲む位置にある第一ガイドケース部５０Ａと、回転羽根５１と、が穀粒拡散装置５としての機能を有しており、第二ガイドケース部５０Ｂは、その第一ガイドケース部５０Ａと回転羽根５１を、内側壁４１ｉから離れた位置に支持するための手段として機能している。
【００４６】
第一ガイドケース部５０Ａでは、筒状の外周部のうち、穀粒タンク４の後方側に向かう部位が開放されていて、ここに吐出口５３が形成されている。したがって、回転羽根５１の回転に伴って掻き出された穀粒が、吐出口５３から穀粒タンク４内の後方側へ向けて放擲される。
また、流下案内路３７を滑落する穀粒をガイドケース５０内に導入する導入口５２は、第一ガイドケース部５０Ａの外周部のうち、回転羽根５１の回転軸心Ｐ１を通る鉛直線位置よりも、前記吐出口５３が形成された箇所とは反対側となる前方位置に形成されている。つまり、ガイドケース５０の外周部に対して流路下部３９の終端が接続される領域としては、上記の導入口５２に形成されているところの、回転羽根５１の回転軸心Ｐ１を通る鉛直線位置よりも、吐出口５３が形成された箇所とは反対側となる範囲が望ましい。このように接続領域が設定されることで、導入された穀粒の大部分が回転羽根５１による跳ね出し作用を適切に受け易く、穀粒タンク４内の広範囲に穀粒が拡散され易い。
【００４７】
第二ガイドケース部５０Ｂは、第一ガイドケース部５０Ａの外周と同心円状で、かつ第一ガイドケース部５０Ａの外径よりも小径の外径を有した円筒状に形成され、第一ガイドケース部５０Ａと一体に構成されている。
第二ガイドケース部５０Ｂの一端部は、繋ぎ壁部５４を介して第一ガイドケース部５０Ａの機体内方側の端部に接続されている。そして、第二ガイドケース部５０Ｂの他端部は、穀粒タンク４の内側壁４１ｉに形成された矩形状の開口部４４を、穀粒タンク４の外側（内側壁４１ｉよりも機体内方側）から閉塞する閉塞板５５に固定されている。
閉塞板５５は、連結板３６を介して、後述する動力取り出し機構３５の支持ケース３０Ｃ（揚穀ケース３０の一部に相当する）に連結固定されている。第二ガイドケース部５０Ｂの他端部は、この連結板３６にも連結溶接連結され、閉塞板５５と連結板３６とで支持されている。
開口部４４の大きさは、穀粒タンク４を上下軸心ｙ１周りに回動させて使用位置と開放位置に位置変更する際に、穀粒拡散装置５が内側壁４１ｉに形成された開口部４４の周辺と干渉する虞のない大きさに設定されている。そして、閉塞板５５の大きさは、使用位置にある穀粒タンク４の内側壁４１ｉに形成された開口部４４の全体を覆うことのできる面積であるように、開口部４４の面積よりも大きく設定されている。
【００４８】
第二ガイドケース部５０Ｂには、外周壁部のうちの下部に、穀粒を第二ガイドケース部５０Ｂの外側下方へ排出するための抜き孔５６が形成されている。この抜き孔５６は、次のように用いられる。つまり、第一ガイドケース部５０Ａに大量の穀粒が導入されて、回転羽根５１による掻き出し作用を受けた際に、一部が第一ガイドケース部５０Ａから溢れ出て第二ガイドケース部５０Ｂ内に流入することがある。このとき溢れ出た穀粒を、抜き孔５６を介して速やかに穀粒タンク４内に還元させるためのものである。
【００４９】
〔動力取り出し機構〕
回転羽根５１へは、動力取り出し機構３５を介して、縦搬送部３Ａの駆動系から動力が伝達される。
図４乃至図８に示すように、動力取り出し機構３５は、縦搬送部３Ａの上端部に備えた従動スプロケット３２の回転軸３２ａ（動力伝達軸に相当する）の端部に備えた出力用プーリ３５ａと、回転羽根５１の駆動軸５１ａの端部に備えた入力用プーリ３５ｂと、それらの出力用プーリ３５ａと入力用プーリ３５ｂにわたって巻回された伝動ベルト３５ｃと、伝動ベルト３５ｃを張り付勢するテンションプーリ３５ｄと、を備えている。
回転羽根５１の駆動軸５１ａのうち、縦搬送部３Ａに近い側の端部が、穀粒タンク４の内側壁４１ｉよりも外側（機体内方側）へ延出されている。この穀粒タンク４外への延出部分に入力用プーリ３５ｂが装着され、外装ケース３０Ａの前壁上部に取り付けられた支持ケース３０Ｃに、駆動軸５１ａ及び入力用プーリ３５ｂが支持されている。
【００５０】
上記のように、回転羽根５１に対しては、縦搬送部３Ａの従動スプロケット３２の回転軸３２ａから取り出された縦搬送部３Ａの駆動力が、動力取り出し機構３５を介して伝達される。
このとき、固定位置にある縦搬送部３Ａ及び、その縦搬送部３Ａの外装ケース３０Ａと一体の支持ケース３０Ｃに支持された穀粒拡散装置５は、穀粒タンク４の上下軸心ｙ１周りでの位置変更にかかわらず位置固定されている。つまり、穀粒タンク４の内側壁４１ｉに形成された開口部４４が、穀粒拡散装置５の挿抜を可能にして、穀粒タンク４の上下軸心ｙ１周りでの位置変更を許容している。そして、穀粒タンク４の使用位置では、開口部４４が閉塞板５５で閉塞されることにより、穀粒タンク４内での穀粒貯留が可能となる。
【００５１】
〔アンローダ〕
図１及び図２に示すように、アンローダ６は、穀粒タンク４に貯留された穀粒を排出口６３から排出する。アンローダ６には、穀粒タンク４の底スクリュー４Ｓによって穀粒タンク４の外部に搬送された穀粒を上方に縦送りする縦スクリューコンベア６１と、縦スクリューコンベア６１に接続されて当該縦スクリューコンベア６１によって搬送された穀粒を排出口６３に横送りする横スクリューコンベア６２と、が備えられている。アンローダ６は、縦スクリューコンベア６１を中心とする上下軸心ｙ１周りに旋回可能に構成されている。
【００５２】
〔別実施形態〕
以下、本発明に係るコンバインの別実施形態について説明する。
【００５３】
〔１〕上記の実施形態では、横搬送部３Ｂを構成するところの流下案内路３７として、縦搬送部３Ａに接続された流路上部３８と、穀粒タンク４に接続された流路下部３９とを備えて分離可能な構造のものを例示したが、必ずしもこの構造に限定されるものではない。
例えば、穀粒タンク４の天板４０に穀粒の投入用開口４２が設けられ、流下案内路３７は、縦搬送部３Ａに接続された一体物で構成され、下端が投入用開口４２の上側に位置して、流下案内路３７から滑落する穀粒が穀粒タンク４内に投入されるようにした構造のものであってもよい。この場合、流下案内路３７の下端部に可撓性のある軟質の垂れ幕状ガイド部材（図示せず）を連設して、その垂れ幕状ガイド部材が投入用開口４２から穀粒タンク４内に差し込まれるようにしてもよい。
その他の構成は、前述した実施形態と同様の構成を採用すればよい。
【００５４】
〔２〕上記の実施形態では、穀粒タンク４が、上下軸心ｙ１周りで左右方向に回動して使用位置と開放位置に位置変換可能である構造のものを例示したが、必ずしもこの構造に限定されるものではなく、穀粒タンク４が位置固定状態で設けられたものであってもよい。
この場合、流下案内路３７は、縦搬送部３Ａと穀粒タンク４の天板４０に連結固定されていても、流路上部３８と流路下部３９とで分断される構造である必要はなく、一体物で構成されていてもよい。
その他の構成は、前述した実施形態と同様の構成を採用すればよい。
【００５５】
〔３〕上記の実施形態では、横搬送部３Ｂを構成するところの流下案内路３７として、穀粒を強制的に押し出すような強制搬送手段を備えず、穀粒が自重で滑落するように水平面に対して傾斜した滑落ガイド面３７ａを備えた構造のものを例示したが、必ずしもこの構造に限定されるものではない。
例えば、強制的な押し出し作用を与える強制搬送手段ではなく、滑落ガイド面３７ａ上の穀粒を滑落させ易くするような、微振動や揺れを与えるなど、穀粒の滑落を補助する搬送手段を設けるなどしてもよい。この場合、滑落ガイド面３７ａの水平面に対する傾斜角度は、円滑な滑落が行われる程度であれば、自重のみでの滑落が生じる傾斜に比べて緩やかな傾斜角度であっても良い。
その他の構成は、前述した実施形態と同様の構成を採用すればよい。
【００５６】
〔４〕上記の実施形態では、穀粒拡散装置５が、縦搬送部３Ａに対する遠近方向おいて、穀粒タンク４の側壁４１のうちの、縦搬送部３Ａに対面する内側壁４１ｉから離れた中央部寄りに設けられた構造のものを例示したが、必ずしもこの構造に限定されるものではない。
例えば、穀粒拡散装置５が内側壁４１ｉから離れずに、内側壁４１ｉに極接近する状態で設けられたり、内側壁４１ｉとは反対側の外側壁４１ｏに近接した位置に設けられたり、縦搬送部３Ａに対する遠近方向で複数箇所に設けられたりしても良い。
その他の構成は、前述した実施形態と同様の構成を採用すればよい。
【００５７】
〔５〕上記の実施形態では、ガイドケース５０として、回転羽根５１を囲む位置にある第一ガイドケース部５０Ａと、その第一ガイドケース部５０Ａを、内側壁４１ｉから離れた位置に支持するための手段としての第二ガイドケース部５０Ｂと、を備えた構造のものを例示したが、必ずしもこの構造に限定されるものではない。
例えば、第二ガイドケース部５０Ｂを省略して、第一ガイドケース部５０Ａを内側壁４１ｉに直接的に取り付けるようにしてもよい。
その他の構成は、前述した実施形態と同様の構成を採用すればよい。
【００５８】
〔６〕上記の実施形態では、穀粒拡散装置５を縦搬送部３Ａに支持させて、穀粒タンク４の内側壁４１ｉに、その穀粒タンク４の位置変更に伴う穀粒拡散装置５の挿抜を許容する開口部４４が形成された構造のものを例示したが、必ずしもこの構造に限定されるものではない。
例えば、穀粒拡散装置５を縦搬送部３Ａに対してではなく、穀粒タンク４の内側壁４１ｉに取り付け、かつ縦搬送部３Ａの駆動系と、穀粒拡散装置５との間の伝動系に、脱着可能なクラッチ部材を設けて、穀粒タンク４が使用姿勢にあるときにクラッチが入り状態となり、穀粒タンク４が開放位置にあるときにクラッチが切り状態となるようにしてもよい。
その他の構成は、前述した実施形態と同様の構成を採用すればよい。
【００５９】
〔７〕上記の実施形態では、穀粒拡散装置５に対して縦搬送部３Ａの動力を入力して駆動されるようにした構造のものを例示したが、必ずしもこの構造に限定されるものではない。
例えば、縦搬送部３Ａの動力とは全く別に電動モータを設けて駆動するなど、適宜の構造を採用することもできる。
その他の構成は、前述した実施形態と同様の構成を採用すればよい。
【００６０】
〔８〕なお、上述した各実施形態で開示された構成は、矛盾が生じない限り、他の実施形態で開示された構成と組み合わせて適用することも可能である。その他の構成に関しても、本明細書において開示された実施形態は全ての点で単なる例示に過ぎない。従って、本開示の趣旨を逸脱しない範囲内で、適宜、種々の改変を行うことが可能である。
【産業上の利用可能性】
【００６１】
本発明は、揚穀装置と穀粒タンクが備えられたコンバインに適用可能である。
【符号の説明】
【００６２】
２        脱穀装置
３        揚穀装置
３Ａ      縦搬送部
３Ｂ      横搬送部
３１      駆動スプロケット
３２      従動スプロケット
３２ａ    動力伝達軸
３３      無端回動帯
３４      載置体
３５ａ    出力用プーリ
３５ｂ    入力用プーリ
３５ｃ    伝動ベルト
３７      流下案内路
３８      流路上部
３９      流路下部
４        穀粒タンク
４１      側壁
４１ｉ    内側壁
４２      投入用開口
５        穀粒拡散装置
５０      ガイドケース
５０Ａ    第一ガイドケース部
５０Ｂ    第二ガイドケース部
５１      回転羽根
５１ａ    駆動軸
５３      吐出口
５６      抜き孔
Ｐ１      回転軸心
ｙ１      上下軸心
【図１】
2020188693.tif 000003
【図２】
2020188693.tif 000004
【図３】
2020188693.tif 000005
【図４】
2020188693.tif 000006
【図５】
2020188693.tif 000007
【図６】
2020188693.tif 000008
【図７】
2020188693.tif 000009
【図８】
2020188693.tif 000010
【図９】
2020188693.tif 000011